(57)【特許請求の範囲】
【請求項１】
原稿読み取り面を有する装置本体に対し、前記原稿読み取り面を覆う原稿カバー部材が開閉可能に支持された原稿読み取り装置において、
前記装置本体又は原稿カバー部材の支持側の端部に、前記原稿の少なくとも一部が飛び出し可能である空間部が形成され、
前記装置本体に原稿支持部材が設けられ、
前記原稿支持部材は、前記空間部を通じて飛び出している原稿を、前記原稿読み取り面よりも後方かつ斜め下方で下側から支持する構成とされていることを特徴とする原稿読み取り装置。
【請求項２】
前記原稿支持部材は、前記空間部に対応する形状を有するものであり、前記空間部に嵌脱可能に嵌合し前記原稿カバー部材の一部を構成する第１の位置と、前記空間部を通じて飛び出している原稿を下側から支持する第２の位置との間を移動可能に支持されているところの請求項１記載の原稿読み取り装置。
【請求項３】
前記原稿カバー部材は、原稿を上側から覆うカバー本体部を有し、該カバー本体部の支持側の左右両側部を装置本体に連結し前記カバー本体部を浮遊可能に支持するカバーリンク部材とを有し、前記空間部は、前記カバーリンク部材の間に形成された切り欠き部であり、前記原稿支持部材は、前記装置本体に支持リンク部材を介して回転変位可能に支持されているところの請求項２記載の原稿読み取り装置。
【請求項４】
さらに、前記原稿支持部材を、第１の位置となる方向に常時付勢する付勢部材を備えるところの請求項３記載の原稿読み取り装置。
【請求項５】
前記カバー本体部は、前記カバーリンク部材の間において、被係合面を有する一方、前記原稿支持部材は、前記被係合面に対応する形状の係合面を有し、前記原稿支持部材は、第１の位置のときに、前記係合面が被係合面に当接するところの請求項４記載の原稿読み取り装置。
【請求項６】
前記空間部は、原稿カバー部材に形成されると共に、前記空間部に対応して前記装置本体に凹部が形成され、前記原稿支持部材は、前記装置本体の凹部内に位置し前記装置本体の一部を構成する第３の位置と、該第３の位置よりも後方で前記凹部を通じて飛び出した原稿を下側から支持する第４の位置との間を移動可能であるところの請求項１記載の原稿読み取り装置。
【請求項７】
前記原稿支持部材は、前記第３の位置と第４の位置との間の移動を案内する案内手段に連係されているところの請求項６記載の原稿読み取り装置。
【請求項８】
前記原稿支持部材は、支持リンク部材を介して支持され、さらに、前記支持リンク部材に、前記原稿支持部材を、前記装置本体の凹部に嵌合して第３の位置となる方向に常時付勢する付勢部材が設けられているところの請求項７記載の原稿読み取り装置。
【発明の詳細な説明】
【０００１】
【発明の属する技術分野】
本発明は、電子写真複写機などの原稿読み取り装置に関する。
【０００２】
【従来の技術】
一般に、原稿読み取り装置としては、原稿を移動させながら原稿の画像を読み取る原稿搬送型と、原稿を固定し、原稿読み取り部を移動させて原稿の画像を読み取る原稿固定型とに大別される。そして、原稿固定型は、１枚のシート状の原稿を読み取れるだけでなく、ブック状の原稿も読み取れるという利点がある。
【０００３】
かかる原稿読み取り装置においては、ブック状の原稿を読み取る場合には、左右両頁を同時に読み取れる場合は別として、各頁ごとに読み取る場合には、例えば、ブック状の原稿の左頁を読み取った後に、その原稿を１８０°回転して、次に右頁を読み取り、それから元に戻して、以下、必要とする頁数に応じて同様な動作を繰り返す必要がある。
【０００４】
【発明が解決しようとする課題】
しかしながら、そのような装置であれば、ブック状の原稿を読み取る場合には、各頁を読み取るごとにブック状の原稿を１８０°回転するという動作を繰り返さなければならず、読み取り作業が面倒なものとなっていた。
【０００５】
また、そのように１８０°回転して読み取るようにすれば、左頁と右頁との読み取る画像の向きが異なり、１頁ごとに天地逆の方向で画像を読み取ることになるため、ブック状の原稿を読み取る場合において、左右頁共に同等な画像を得るためには、例えば特開昭６２−１５２２６３号公報に記載されるように、ブック状の原稿の左右頁を判別する左右頁判別手段と、前記原稿の左頁に対する画像の走査方向と前記原稿の右頁に対する画像の走査方向とを異ならせて指定する走査方向指定手段とを設けたりする必要もあった。また、特定方向に長い原稿などにおいても、一度の画像を読み取ることができず、同様な課題がある。
【０００６】
本発明は、かかる点に鑑みてなされたもので、ブック状の原稿や特定方向に長い原稿などを読み取る場合において、原稿を１８０°回転させることなく、原稿の画像を読み取ることが可能である原稿読み取り装置を提供することを目的とする。
【０００７】
【課題を解決するための手段】
請求項１の発明は、原稿読み取り面を有する装置本体に対し、前記原稿読み取り面を覆う原稿カバー部材が開閉可能に支持された原稿読み取り装置において、前記装置本体又は原稿カバー部材の支持側の端部に、前記原稿の少なくとも一部が飛び出し可能である空間部が形成され、前記装置本体に原稿支持部材が設けられ、前記原稿支持部材は、前記空間部を通じて飛び出している原稿を、前記原稿読み取り面よりも後方かつ斜め下方で下側から支持する構成とされていることを特徴とする。よって、ブック状の原稿や特定方向に長い原稿などの原稿読み取りの場合に有効である。
【０００８】
ここで、「原稿の少なくとも一部が飛び出し可能である空間部」とは、原稿の画像を読
み取る際に、いわゆる読み取り面よりはみ出す原稿の一部を、空間部を通じて飛び出させることができ、原稿読み取りに差し支えのない状態とすることができることを意味し、空間部の形状としては、原稿の少なくとも一部が飛び出し可能な形状であればよく、切り欠き部であっても、凹部であっても、開口部であってもよい。
【０００９】
請求項１の発明によれば、装置本体又は原稿カバー部材の支持側の端部に、原稿の少なくとも一部が飛び出し可能である空間部が形成されていることから、例えばブック形状の原稿のように見開きで一度に原稿読み取りができない場合や特定方向に長い原稿のように一度に原稿読み取りができない場合には、前側に原稿の一部を垂らしたり、空間部を通じて原稿の一部を後側に飛び出させたりして、原稿を前後に移動させるだけで、原稿を１８０°回転させたりすることなく、原稿の画像の読み取りが簡単に行われる。
【００１０】
【００１１】
また、空間部を通じて飛び出している原稿が、前記原稿読み取り面よりも後方かつ斜め下方で原稿支持部材にて下側から支持され、原稿が垂れ下がるのが防止される。
【００１２】
請求項２の発明は、請求項１の原稿読み取り装置において、前記原稿支持部材が、前記空間部に対応する形状を有するものであり、前記空間部に嵌脱可能に嵌合し前記原稿カバー部材の一部を構成する第１の位置と、前記空間部を通じて飛び出している原稿を下側から支持する第２の位置との間を移動可能に支持されているものである。
【００１３】
請求項２の発明によれば、空間部を通じて原稿の一部が飛び出しておらず原稿を支持する必要がない場合には、原稿支持部材が第１の位置となって空間部に嵌合して、原稿カバー部材の一部を構成する一方、空間部を通じて原稿の一部が飛び出しており原稿を支持する必要がある場合には、原稿支持部材が第２の位置となって、空間部を通じて飛び出している原稿が下側から支持される。
【００１４】
請求項３の発明は、請求項２の原稿読み取り装置において、前記原稿カバー部材が、原稿を上側から覆うカバー本体部を有し、該カバー本体部の支持側の左右両側部を装置本体に連結し前記カバー本体部を浮遊可能に支持するカバーリンク部材とを有し、前記空間部は、前記カバーリンク部材の間に形成された切り欠き部であり、前記原稿支持部材が、前記装置本体に支持リンク部材を介して回転変位可能に支持されているものである。
【００１５】
請求項３の発明によれば、ブック形状の原稿のように厚さが厚い原稿の場合には、原稿を覆うカバー本体部がカバーリンク部材を介して上方に変位して、原稿が無理なく覆われる。また、原稿支持部材は、支持リンク部材を介して回転変位させることで、第１の位置と第２の位置との間を移動せしめられる。
【００１６】
請求項４の発明は、請求項３の原稿読み取り装置において、さらに、前記原稿支持部材を、第１の位置となる方向に常時付勢する付勢部材を備えるものである。
【００１７】
請求項４の発明によれば、切り欠き部を通じて原稿が飛び出す際には、原稿そのものによって付勢部材の付勢力に抗して原稿支持部材を回転変位させて、第１の位置から、原稿を支持する第２の位置とし、第２の位置にある原稿支持部材によって原稿が下側から支持される。原稿の画像の読み取りが終了し原稿が外されると、付勢部材の付勢力によって原稿支持部材が回転変位して、第２の位置から第１の位置に復帰し、原稿カバー部材の切り欠き部に嵌合して原稿カバー部材の一部を構成することになる。
【００１８】
請求項５の発明は、請求項４の原稿読み取り装置において、前記カバー本体部が、前記カバーリンク部材の間において、被係合面を有する一方、前記原稿支持部材が、前記被係合面に対応する形状の係合面を有し、前記原稿支持部材が、第１の位置のときに、前記係合面が被係合面に当接するものである。
【００１９】
請求項５の発明によれば、カバー本体部の被係合面に原稿支持部材の係合面が当接することで、カバー本体部との関係において原稿支持部材の位置が規制される。
【００２０】
請求項６の発明は、請求項１の原稿読み取り装置において、前記空間部が、原稿カバー部材に形成されると共に、前記空間部に対応して前記装置本体に凹部が形成され、前記原稿支持部材が、前記装置本体の凹部内に位置し前記装置本体の一部を構成する第３の位置と、該第３の位置よりも後方で前記凹部を通じて飛び出した原稿を下側から支持する第４の位置との間を移動可能である。
【００２１】
請求項６の発明によれば、原稿支持部材が、第３の位置にあるときは、装置本体の一部を構成し、第４の位置にあるときは、凹部を通じて飛び出した原稿を下側から支持する。
【００２２】
請求項７の発明は、請求項６の原稿読み取り装置において、前記原稿支持部材が、前記第３の位置と第４の位置との間の移動を案内する案内手段に連係されているものである。
【００２３】
請求項７の発明によれば、原稿支持部材の第３の位置及び第４の位置の移動は、案内手段による案内によりスムーズに行われる。
【００２４】
請求項８の発明は、請求項７の原稿読み取り装置において、前記原稿支持部材が、支持リンク部材を介して支持され、さらに、前記支持リンク部材に、前記原稿支持部材を、前記装置本体の凹部に嵌合して第３の位置となる方向に常時付勢する付勢部材が設けられているものである。
【００２５】
請求項８の発明によれば、原稿支持部材が、原稿が凹部を通じて飛び出す際には、第３の位置から付勢部材の付勢力に抗して原稿を支持しつつ第４の位置へ変位し、原稿が外されると、付勢部材の付勢力によって凹部に嵌合する第３の位置に復帰する。
【００２６】
【発明の実施の形態】
以下、本発明の実施の形態を図面に沿って説明する。
【００２７】
図１は原稿読み取り装置を示す斜視図、図２は原稿カバー部材及び原稿支持部材を取り外した状態の原稿読み取り装置を示す斜視図である。
【００２８】
図１及び図２において、原稿読み取り装置１は、上面の略中央部分に原稿読み取り面２ａを有する装置本体２に対し、前記原稿読み取り面２ａを覆う原稿カバー部材３が開閉可能に支持されている。前記原稿カバー部材３は、後縁部側が装置本体２に支持され、その支持側の端部には、後述するように、前記原稿の少なくとも一部が飛び出し可能である空間部としての切り欠き部３ａが形成されている。尚、前記原稿カバー部材３は、原稿なしで閉じた状態では、原稿読み取り面２ａ（プラテンガラス）に密着するようになっている。
【００２９】
また、前記装置本体２は、前側上部において、上下に傾斜面を有し先細形状の突出部２ｂが形成され、前側下部には、給紙カセット４が着脱可能に装着されている。また、装置本体２の後側上部において、底面が傾斜面となっている凹部２ｃが左右方向の中央部に形成され、該凹部２ｃを利用して、前記切り欠き部３ａを通じて飛び出している原稿を下側から支持する原稿支持部材５が開閉可能に設けられている。
【００３０】
前記原稿カバー部材３は、原稿読み取り面２ａより一回り大きい形状を有し原稿を上側から覆う矩形プレート状のカバー本体部３Ａと、該カバー本体部３Ａの後端縁側（支持側）の左右両側部を装置本体２に連結し前記カバー本体部３Ａを浮遊可能に支持する左右のカバーリンク部材３Ｂ，３Ｂとを備え、前記両カバーリンク部材３Ｂ，３Ｂの間に、原稿の少なくとも一部が飛び出し可能である切り欠き部３ａ（空間部）が形成されている。よって、前記カバー本体部３Ａは、原稿読み取り面２ａと平行な状態のまま上下方向において変位可能なるようにカバーリンク部材３Ｂ，３Ｂに支持されていることとなり、厚手のブック状の原稿の原稿読み取りを行う場合は、カバー本体部３Ａの下面が頁Ａ１の裏側となるブックカバー部を覆うことができ、原稿読み取り面２ａと、頁Ａ１をほぼ均一に接触させることができる（図６及び図７参照）。
【００３１】
前記原稿支持部材５は、前記切り欠き部３ａに対応する形状を有するものであり、後縁部の左右側部付近において、図３に示すように、前記装置本体２に支持リンク部材６，６を介して回転変位可能に支持されている。すなわち、支持リンク部材６の一端部が原稿支持部材５に回転可能に連結され、他端部が装置本体２に回転可能に連結されている。よって、原稿支持部材５は、前記切り欠き部３ａに嵌脱可能に嵌合し前記原稿カバー部材３の一部を構成する第１の位置Ｐ１（図３の実線参照）と、該第１の位置Ｐ２から後方に回転変位して前記切り欠き部３ａを通じて後方に飛び出している原稿を下側から支持する第２の位置Ｐ２（図３の二点鎖線参照）とを有する。尚、支持リンク部材６の回転変位は、装置本体２側に凹部２ｃが形成されていることから、無理なく行われる。
【００３２】
また、前記支持リンク部材６には、付勢部材としてのねじりコイルバネ７が適用され、原稿支持部材５を、第１の位置Ｐ１となる方向に常時付勢するようになっている。
【００３３】
そして、図３〜図５に示すように、前記原稿カバー部材３のカバー本体部３Ａは、前記カバーリンク部材３Ｂ，３Ｂの間において、後下がりに傾斜した平面である被係合傾斜面３ｂを有する一方、前記原稿支持部材５は、前記被係合傾斜面３ｂに対応した形状であり第１の位置Ｐ１のときに前記被係合傾斜面３ｂに当接する当接係合面５ａを有する。よって、原稿支持部材５が第１の位置Ｐ１にあるときは、ねじりコイルバネ７のバネ力によって、当接係合面５ａが被係合傾斜面３ｂに当接係合して密着した状態にあり、その状態では原稿支持部材５が原稿カバー部材３の一部となっている。
【００３４】
続いて、上記装置を用いた原稿読み取り動作について説明する。
【００３５】
例えばブック状の原稿Ａの原稿読み取りを行う場合には、左右両頁Ａ１，Ａ２について同時に原稿読み取りができない場合は、図６に示すように、まず、左右両頁Ａ１，Ａ２のうち一方の頁Ａ１のみを原稿読み取り面２ａ上に押し当て、その状態で原稿カバー部材３を押し付ける。このとき、ブック状の原稿Ａはある程度の厚さを有するので、カバーリンク部材３Ｂ，３Ｂが、ブック状の原稿Ａの厚さに応じて立ち上がるように回転し、カバー本体部３Ａが原稿読み取り面２ａに対して浮き上がった状態で、ブック状の原稿Ａを覆う。この状態では、原稿支持部材５には、ブック状の原稿Ａから力が作用しておらず、ねじりコイルバネ７のバネ力のみが作用しているので、原稿支持部材５の当接係合面５ａが原稿カバー部材３（カバー本体部３Ａ）の被係合傾斜面３ｂに当接係合して密着した状態のままであり、その状態では原稿支持部材５が原稿カバー部材３の一部となっている。
【００３６】
そして、原稿読み取りを行い、それから、他方の頁Ａ２を原稿読み取り面２ａ上に押し当てるために、ブック状の原稿Ａを、後方へスライドさせる。すると、ブック状の原稿Ａの端部が、原稿支持部材５をそれの回転軸０（カバーリンク部材６の他端部側の回転軸）より上方位置において押圧し、原稿支持部材５をねじりコイルバネ７のバネ力に抗して後方へ回転せしめ、その結果、図７に示すように、ブック状の原稿Ａの端部が切り欠き部３ａを通じて飛び出すこととなり、原稿支持部材５にて下側から支持される。
【００３７】
前記実施の形態においては、原稿支持部材５は、通常時（第１の位置の時）には、原稿カバー部材３の一部を構成するようにしているが、本発明はそれに限定されるものではなく、装置本体の一部を構成するようにすることも可能である。
【００３８】
具体的には、例えば図８に示すように、原稿読み取り面１１ａを上面に有する装置本体１１に対し、空間部としての凹部１１ｂを設け、原稿支持部材１２を前後方向に移動可能に設ける。尚、この場合には、図示しない原稿カバー部材には、前述した実施の形態と同様の切り欠き部（空間部）が形成されている。
【００３９】
原稿支持部材１２は、水平方向に延びる水平部１２ａと、該水平部１２ａの後端縁から略鉛直下方に延びる鉛直部１２ｂとを有し、断面略逆Ｌ字形状をしている。また、原稿支持部材１２の水平部１２ａの前端部には、図９及び図１０に示すように、係合ピン１３が設けられ、該係合ピン１３が、装置本体１１の凹部１１ｂの傾斜底面に沿って形成された被係合孔１１ｃにスライド可能に係合し、また、水平部１２ａと鉛直部１２ｂとの連設部分付近が装置本体１１に支持リンク部材１４にて連結されている。支持リンク部材１４には、ねじりコイルバネ１５が適用され、該ねじりコイルバネ１５が、支持リンク部材１４を介して原稿支持部材１２を前記凹部１１ｂに係合する方向に常時付勢している。前記原稿支持部材１２は、装置本体１１の凹部１１ｂ内に位置する第３の位置Ｐ１１と、該第３の位置Ｐ１１よりも後方かつ斜め下方で凹部１１ｂを通じて飛び出したブック状の原稿Ａを下側から支持する第４の位置Ｐ１２との間を移動可能に支持されており、前記係合ピン１３と被係合孔１１ｃとが、前記第３の位置Ｐ１１と第４の位置Ｐ１２との間の移動を案内する案内手段として機能するようになっている。
【００４０】
また、そのほか、図１１〜図１３に示すように、原稿支持部材をスライド式とすることも可能である。
【００４１】
すなわち、原稿カバー部材２１の切り欠き部２１ａに対応して、画像読み取り面２２ｃを有する装置本体２２に凹部２２ａが形成され、該凹部２２ａ内に原稿支持部材２３がスライド可能に設けられている。原稿支持部材２３は、プレート状で、一端部の左右に、凹部２２ａの左右に形成された被係合孔２２ｂ，２２ｂにスライド可能に係合する突部２３ａ，２３ａが形成されると共に、凹部２２ａの底面より突出する突出リブ２２ｄ，２２ｄ，２２ｄにスライド可能に係合する切り欠き部２３ｃ，２３ｃ，２３ｃが形成されている。よって、原稿支持部材２３は、装置本体２２の凹部２２ａ内に位置する第３の位置（図１１参照）と、該第３の位置よりも後方かつ斜め下方で凹部２２ａを通じて飛び出したブック状の原稿を下側から支持する第４の位置との間を移動可能となっている。
【００４２】
尚、前記被係合孔２２ｂ，２２ｂと突部２３ａ，２３ａが第３の位置と第４の位置との間を案内する案内手段を構成しているが、この場合、被係合孔と突部との係合関係でもって、原稿支持部材２３が第４の位置とされたときには、略水平状態となるように案内するように構成することもできる。また、前述した実施の形態と同様に、原稿支持部材２３を、第３の位置となる方向に常時付勢する付勢部材を設けることも可能である。
【００４３】
前記実施の形態においては、原稿カバー部材を、カバー本体部を支持リンク部材を介して装置本体に浮遊可能に支持しているが、本発明はそれに限定されるものではなく、原稿カバー部材が１枚のプレート部材から形成され、単に開閉可能に装置本体に支持されているものにも同様に適用することができる。
【００４４】
前記実施の形態においては、原稿カバー部材３に切り欠き部３ａを形成しているが、本発明はそれに限定されるものではなく、原稿の少なくとも一部が飛び出し可能である空間部であればよいから、装置本体側やそれらの両方に亘って空間部を設けることも可能である。
【００４５】
また、前記実施の形態においては、切り欠き部３ａ（空間部）を通じて飛び出している原稿を下側から支持する原稿支持部材５が前記装置本体２に支持リンク部材６，６を介して回転変位可能に支持されるようにしているが、必ずしも回転変位可能にする必要はなく、必要時においてのみ取り付ければよいように原稿支持部材を着脱可能としてもよいし、固定式とすることも可能である。
【００４６】
【発明の効果】
本発明は、以上に説明したような形態で実施され、以下に述べるような効果を奏する。
【００４７】
請求項１の発明は、装置本体又は原稿カバー部材の支持側の端部に、原稿の少なくとも一部が飛び出し可能である空間部を形成しているので、例えば見開きで一度に原稿読み取りができないブック形状の原稿や一度に原稿読み取りができない特定方向に長い原稿などの画像を読み取る場合には、前側に原稿の一部を垂らしたり、空間部を通じて原稿の一部を後側に飛び出させたりして、原稿を前後に移動させるだけで、原稿の読み取りを行うことが可能となる。よって、原稿を１８０°回転させたりする必要がなくなり、原稿の画像の読み取りのための原稿のセッティングが容易となり、原稿読み取り作業の作業効率の向上を図ることができる。
【００４８】
また、空間部を通じて飛び出している原稿を、前記原稿読み取り面よりも後方かつ斜め下方で原稿支持部材にて下側から支持するようにしているので、原稿が垂れ下がるのを防止することができ、原稿カバー部材を開いたときに、原稿が後側に落下するおそれをなくすことができる。よって、原稿支持の安定性を向上させることができる。
【００４９】
請求項２の発明は、原稿支持部材を、原稿を支持する必要がないときは、第１の位置として空間部に嵌合させ、原稿カバー部材の一部を構成する一方、原稿を支持する必要があるときは、第２の位置として、空間部を通じて飛び出している原稿を下側から支持するようにしているので、外観を損ねることなく、原稿を支持する必要がある場合における原稿の支持を安定性よく行うことができる。
【００５０】
請求項３の発明は、原稿を覆うカバー本体部をカバーリンク部材を介して装置本体に浮遊可能に支持するようにしているので、ブック形状の原稿のように厚さが厚い原稿の場合には、カバー本体が上方に変位して、原稿を無理なく覆うことができ、また、原稿支持部材を、支持リンク部材を介して回転変位させ、第１の位置と第２の位置との間を移動させるようにしているので、簡単な構造で、原稿支持部材の移動を行うことができる。
【００５１】
請求項４の発明は、原稿支持部材を、第１の位置となる方向に常時付勢する付勢部材を設けているので、前記付勢部材の付勢力を利用するという簡単な構造で、原稿支持部材の位置の変更を行うことができる。
【００５２】
請求項５の発明は、カバー本体部の被係合面に、原稿支持部材の係合面が、第１の位置のときに当接するようにしているので、カバー本体部の被係合面に係合面が当接することで、カバー本体部に対する原稿支持部材の位置を規制することができる。
【００５３】
請求項６の発明は、原稿支持部材が、第３の位置にあるときは、装置本体の一部を構成し、第４の位置にあるときは、凹部（空間部）を通じて飛び出した原稿を下側から支持するようにしているので、請求項３の発明と同様に、外観を損ねることなく、原稿を支持する必要がある場合における原稿の支持を安定性よく行うことができる。
【００５４】
請求項７の発明は、原稿支持部材の第３の位置及び第４の位置の移動を案内手段により案内するようにしているので、その移動をスムーズに行わせることができる。
【００５５】
請求項８の発明は、原稿が空間部を通じて飛び出す際には、原稿支持部材が、付勢部材の付勢力に抗して変位し、また、原稿が外されると、付勢部材の付勢力によって空間部に嵌合する第３の位置に復帰するようにしているので、原稿をセットする作業性に優れる。
【図面の簡単な説明】
【図１】  本発明に係る原稿読み取り装置を示す斜視図である。
【図２】  本発明に係る原稿カバー部材を取り外した状態の原稿読み取り装置を示す斜視図である。
【図３】  支持リンク部材による原稿カバー部材の支持状態の説明図である。
【図４】  本発明に係る切り欠き部（空間部）付近の斜視図である。
【図５】  ブック状の原稿の一部が切り欠き部を通じて飛び出した状態の説明図である。
【図６】  原稿読み取り動作の説明図である。
【図７】  原稿読み取り動作の説明図である。
【図８】  他の実施の形態における装置本体の斜視図である。
【図９】  原稿支持部材の動作の説明図である。
【図１０】  原稿支持部材の動作の説明図である。
【図１１】  別の実施の形態における原稿読み取り装置の斜視図である。
【図１２】  同装置本体の斜視図である。
【図１３】  原稿支持部材の斜視図である。
【符号の説明】
１  原稿読み取り装置
２  装置本体
２ａ  原稿読み取り面
３  原稿カバー部材
３Ａ  カバー本体部
３Ｂ  カバーリンク部材
３ａ  切り欠き部（空間部）
３ｂ  被係合傾斜面
５  原稿支持部材
５ａ  当接係合面
６  支持リンク部材
７  ねじりコイルバネ
１１  装置本体
１１ａ  原稿読み取り面
１１ｂ  凹部（空間部）
１２  原稿支持部材
１４  支持リンク部材
１５  ねじりコイルバネ
Ａ  ブック状の原稿
【図１】
0003991454.tif 000002
【図２】
0003991454.tif 000003
【図３】
0003991454.tif 000004
【図４】
0003991454.tif 000005
【図５】
0003991454.tif 000006
【図６】
0003991454.tif 000007
【図７】
0003991454.tif 000008
【図８】
0003991454.tif 000009
【図９】
0003991454.tif 000010
【図１０】
0003991454.tif 000011
【図１１】
0003991454.tif 000012
【図１２】
0003991454.tif 000013
【図１３】
0003991454.tif 000014